(57)【要約】【課題】設置性と使い勝手に優れた食器洗い機を提供する。【解決手段】本体７と、前面開口部９を有し本体内に設けた洗浄槽８と、スライド溝部１４を有し前面開口部９を開閉自在に覆う上扉体１０と、一端が本体７に回動自在に支持され他端がスライド溝部１４を摺動自在に支持すると共に上扉体１０を本体７の上方空間へ移動可能に支持するスライド支持部１２と、一端が本体７に回動自在に支持された第１の動作規制部１８と、一端が第１の動作規制部１８の他端に回動自在に連結され他端が上扉体１０に連結された第２の動作規制部１９を備えたもので、上扉体１０は、スライド支持部１２と第１の動作規制部１８により回転とスライド動作で開閉するため、上扉体１０の開閉高さが従来と同じ場合は、前方への突出長さが短く、前方への突出長さが従来と同一の場合は、その上扉体１０の開閉に要する高さが低くでき、本体７の設置性が向上する。【選択図】図１
2005296313.tif 000002
【特許請求の範囲】
【請求項１】
本体と、前面開口部を有し前記本体内に設けた洗浄槽と、スライド溝部を有し前記前面開口部を開閉自在に覆う扉体と、一端が前記本体に回動自在に支持され他端が前記スライド溝部を摺動自在に支持すると共に前記扉体を前記本体の上方空間へ移動可能に支持するスライド支持部と、前記扉体を所定軌跡で開閉移動させる動作規制手段と、前記動作規制手段が前記本体から外部に出入りする動作規制部収納口とを備え、前記動作規制手段を互いの一端同士を回動自在に連結した第１の動作規制部と第２の動作規制部とで構成し、前記第１の動作規制部の他端を前記本体に回動自在に支持するとともに、前記第２の動作規制部の他端を前記扉体に連結した食器洗い機。
【請求項２】
扉体を上扉体と下扉体とで構成し、スライド溝部を前記上扉体に設けるとともに、第２の動作規制部の他端を前記上扉体に連結した請求項１に記載の食器洗い機。
【請求項３】
第１の動作規制部を、扉体開成状態で第２の動作規制部との連結部と本体との支持部を両端として下方向に突出する略Ｖ字形状とした請求項１又は２に記載の食器洗い機。
【請求項４】
スライド支持部は、スライド溝部が延びる方向に所定長さで摺動自在に前記スライド溝部を支持するスライド係合部を備え、扉体閉成時の前記スライド係合部と前記スライド溝部との隙間を、扉体開放途中及び扉体開成時のそれらの隙間より小さく設定した請求項１〜３のいずれか１項に記載の食器洗い機。
【請求項５】
スライド係合部に回動自在なローラー部を設けた請求項４に記載の食器洗い機。
【請求項６】
下扉体を洗浄槽下部で回動自在に支持する下支持部と、一端が第１の動作規制部に、他端が前記下支持部にそれぞれ回動自在に連結された連動部を備えて、上扉体と前記下扉体の開閉動作を連動させた請求項２〜５のいずれか１項に記載の食器洗い機。
【請求項７】
扉体が自動的に閉成状態から開成状態まで開放する自動解放機構を有する請求項１〜６のいずれか１項に記載の食器洗い機。
【請求項８】
連動部と下支持部との連結部を中心として、前記下支持部の回動中心部と、前記連動部と第１の動作規制部との連結部とでなされる角度、前記第１の動作規制部と前記連動部との連結部を中心として、前記第１の規制部と本体との連結部と、前記連動部と前記下支持部との連結部とでなされる角度、及び前記第１の動作規制部と第２の動作規制部の連結部を中心として、前記第１の動作規制部と前記本体の連結部と、前記第２の動作規制部と上扉体との連結部とでなされる角度のそれぞれを０度以上１８０度以下になるように設定した請求項６又は７に記載の食器洗い機。
【請求項９】
連動部の両端における連結部の少なくとも一方に所定の遊びを設けた請求項６〜８のいずれか１項に記載の食器洗い機。
【請求項１０】
第１の動作規制部を上扉体が閉塞する方向に弾性的に付勢した請求項９に記載の食器洗い機。
【請求項１１】
第１の動作規制部に、扉体開成状態で動作規制部収納口の幅方向と当接する第１のリブを設けた請求項１〜１０のいずれか１項に記載の食器洗い機。
【請求項１２】
食器洗い機本体上面に、扉体開成状態で扉体の幅方向への移動を規制する第２のリブを設けた請求項１〜１１のいずれか１項に記載の食器洗い機。
【請求項１３】
連動部の、扉体開放途中または扉体開成時に本体外部へ露出する露出部に、保護部材を設けた請求項６〜１２のいずれか１項に記載の食器洗い機。
【発明の詳細な説明】
【技術分野】
【０００１】
本発明は、食器等を洗浄する食器洗い機に関するもので、特に扉体の開閉機構に関するものである。
【背景技術】
【０００２】
従来のこの種の食器洗い機について、図５を用いて説明する。
【０００３】
図において、食器洗い機は、食器等の被洗浄物を洗浄槽１に収納し、洗浄槽１に設けた前面開口部２を上扉体３、下扉体４により閉塞してから、洗浄ポンプ（図示せず）を運転し、洗浄水を噴射することにより、被洗浄物の洗浄およびすすぎ工程を行うようになっていた。前面開口部２を開閉する扉体の開閉形態については、種々のものが存在するが、本従来例の食器洗い機は、扉体を２個に分割することで、扉体の開閉に必要な空間（扉体が移動する空間）を小さくし、狭い場所にも食器洗い機が設置できるように、設置性の向上を図ったものである。
【０００４】
２個の扉体のうち下扉体４は、回転支点５で前面開口部２の前下方に回動する。一方、上扉体３は回転支点６で回転支持され、本体の上方空間に開成することで、上扉体３の開閉に必要な高さを小さく抑え、高さの小さい場所にでも、設置できるようにすると同時に、開成時に、上扉体３の前面開口部２より前方への突出長さをできるだけ小さくし、被洗浄物の出し入れ等に支障がないようにしていた（例えば、特許文献１参照）。
【特許文献１】特開２００２−２７２６６０号公報
【発明の開示】
【発明が解決しようとする課題】
【０００５】
しかしながら、従来の食器洗い機の上扉体３の開閉構成では、本体や扉体の形状が同一とすれば、上扉体３の開閉に必要な高さと開成状態での前方への突出長さは、相反する関係にあり、開閉高さを低くすれば前方への突出長さが長くなり、逆に前方への突出長さを短くすれば、開閉高さが高くなるという課題を有していた。
【０００６】
特に、扉体の長さが大きくなった場合には、開閉高さを同一とした場合でも、使用に支障が出るほど、扉体が前方に突出する状態になってしまうという課題を有していた。
【０００７】
本発明は、前記従来の課題を解決するもので、扉体の大きさが従来と略同一とした場合、開成状態で、扉体の開閉に要する高さが従来と同一の場合は、その扉体の前方への突出長さを短くでき、また、扉体の前方への突出長さが従来と同一の場合は、その扉体の開閉に要する高さが低くできる設置性に優れた食器洗い機を提供する事を目的とする。
【課題を解決するための手段】
【０００８】
前記従来の課題を解決するために、本発明の食器洗い機は、本体と、前面開口部を有し前記本体内に設けた洗浄槽と、スライド溝部を有し前記前面開口部を開閉自在に覆う扉体と、一端が前記本体に回動自在に支持され他端が前記スライド溝部を摺動自在に支持すると共に前記扉体を前記本体の上方空間へ移動可能に支持するスライド支持部と、前記扉体を所定軌跡で開閉移動させる動作規制手段と、前記動作規制手段が前記本体から外部に出入りする動作規制部収納口とを備え、前記動作規制手段を互いの一端同士を回動自在に連結した第１の動作規制部と第２の動作規制部とで構成し、前記第１の動作規制部の他端を前記本体に回動自在に支持するとともに、前記第２の動作規制部の他端を前記扉体に連結したもので、扉体は、単純な回転動作で開閉するのではなく、スライド支持部材と動作規制部によって回転とスライドが組み合わさった動作で開閉するため、扉体の大きさが従来と略同一とした場合、開成状態で、扉体の開閉に要する高さが従来と同一の場合は、その扉体の前方への突出長さを短くでき、また、扉体の前方への突出長さが従来と同一の場合は、その扉体の開閉に要する高さが低く、本体の設置性を向上させたり、開口部から扉体を邪魔にならない位置まで大きく開放することが可能となり、被洗浄物の出し入れなどの使い勝手を向上させたりすることができる。また、動作規制部を第１の動作規制部と第２の動作規制部とで構成することで、動作規制部を１部品で構成した場合と比較して、動作規制部が本体から外部に出入りする動作規制部収納口を小さくすることができ、食器洗い機前面の門型構造の強度を向上させることが可能となる。
【発明の効果】
【０００９】
本発明の食器洗い機は、扉体の開閉に必要な空間や高さを小さくすることができ、本体の設置性を向上させたり、開口部から扉体を邪魔にならない位置まで大きく開放することが可能となり、被洗浄物の出し入れなどの使い勝手を向上させたりすることができる。また、動作規制部を第１の動作規制部と第２の動作規制部とで構成することで、動作規制部収納口が小さくなり、食器洗い機前面の門型構造の強度を向上させることができるので、食器洗い機の筐体が変形し難くなり、安定した扉体の開閉動作を実現できる。
【発明を実施するための最良の形態】
【００１０】
第１の発明は、本体と、前面開口部を有し前記本体内に設けた洗浄槽と、スライド溝部を有し前記前面開口部を開閉自在に覆う扉体と、一端が前記本体に回動自在に支持され他端が前記スライド溝部を摺動自在に支持すると共に前記扉体を前記本体の上方空間へ移動可能に支持するスライド支持部と、前記扉体を所定軌跡で開閉移動させる動作規制手段と、前記動作規制手段が前記本体から外部に出入りする動作規制部収納口とを備え、前記動作規制手段を互いの一端同士を回動自在に連結した第１の動作規制部と第２の動作規制部とで構成し、前記第１の動作規制部の他端を前記本体に回動自在に支持するとともに、前記第２の動作規制部の他端を前記扉体に連結したもので、扉体は、単純な回転動作で開閉するのではなく、スライド支持部材と動作規制部によって回転とスライドが組み合わさった動作で開閉するため、扉体の大きさが従来と略同一とした場合、開成状態で、扉体の開閉に要する高さが従来と同一の場合は、その扉体の前方への突出長さを短くでき、また、扉体の前方への突出長さが従来と同一の場合は、その扉体の開閉に要する高さが低くでき、本体の設置性を向上させたり、開口部から扉体を邪魔にならない位置まで大きく開放することが可能となり、被洗浄物の出し入れなどの使い勝手を向上させたりすることができる。また、動作規制部を第１の動作規制部と第２の動作規制部とで構成することで、動作規制部を１部品で構成した場合と比較して、動作規制部が本体から外部に出入りする動作規制部収納口を小さくすることができ、食器洗い機前面の門型構造の強度を向上させることが可能となる。
【００１１】
第２の発明は、特に、第１の発明の扉体を上扉体と下扉体とで構成し、スライド溝部を前記上扉体に設けるとともに、第２の動作規制部の他端を前記上扉体に連結したもので、扉体を上下２個に分割することにより、１個の扉体により前面開口部を開閉する場合と比べて、扉体の開閉に必要な空間を小さくでき、また、動作規制部が本体から外部に出入りする動作規制部収納口も小さくすることができるため、さらに設置性、筐体強度を向上させることができる。
【００１２】
第３の発明は、特に、第１又は第２の発明の第１の動作規制部を、扉体開成状態で第２の動作規制部との連結部と本体との支持部を両端として下方向に突出する略Ｖ字形状としたもので、動作規制部が本体から外部に出入りする動作規制部収納口を最小限に留めることが可能となり、食器洗い機前面の門型構造の強度低下を最小限に抑えられ、食器洗い機の筐体強度を飛躍的に向上させることができる。
【００１３】
第４の発明は、特に、第１〜３のいずれか１つの発明のスライド支持部は、スライド溝部が延びる方向に所定長さで摺動自在に前記スライド溝部を支持するスライド係合部を備え、扉体閉成時の前記スライド係合部と前記スライド溝部との隙間を、扉体開放途中及び扉体開成時のそれらの隙間より小さく設定したもので、閉成時の扉体と前面開口部の位置が規制されるため、シール性を確保することができ、また、扉体開放途中及び開成時はスライド係合部とスライド溝部に隙間が確保されているので、各構成部品に寸法的にばらつきがあってもスライド係合部とスライド溝部がロックすることなくスムーズな扉体の開閉動作が行なわれる。
【００１４】
第５の発明は、特に、第４の発明のスライド係合部に回動自在なローラー部を設けたもので、スライド係合部とスライド溝部の摺動抵抗をさらに軽減することができ、扉体の開閉動作をさらにスムーズにすることができる。
【００１５】
第６の発明は、特に、第２〜５のいずれか１つの発明の下扉体を洗浄槽下部で回動自在に支持する下支持部と、一端が第１の動作規制部に、他端が前記下支持部にそれぞれ回動自在に連結された連動部を備えて、上扉体と前記下扉体の開閉動作を連動させたもので、一方の扉体を開閉することで、他方の扉体も連動して開閉されるので使い勝手が大いに向上する。
【００１６】
第７の発明は、特に、第１〜６のいずれか１つの発明の扉体が自動的に閉成状態から開成状態まで開放する自動解放機構を有するもので、扉体が自動的に開放することで使い勝手がさらに向上する。
【００１７】
第８の発明は、特に、第６又は第７の発明の連動部と下支持部との連結部を中心として、前記下支持部の回動中心部と、前記連動部と第１の動作規制部との連結部とでなされる角度、前記第１の動作規制部と前記連動部との連結部を中心として、前記第１の規制部と本体との連結部と、前記連動部と前記下支持部との連結部とでなされる角度、及び前記第１の動作規制部と第２の動作規制部の連結部を中心として、前記第１の動作規制部と前記本体の連結部と、前記第２の動作規制部と上扉体との連結部とでなされる角度のそれぞれを０度以上１８０度以下になるように設定したもので、各支点の位置が上死点、下死点を超えることがなく、各部のリンク機構が所定の軌跡で確実に動作するため、安定した信頼性の高い扉体の開閉動作を実現できる。
【００１８】
第９の発明は、特に、第６〜８のいずれか１つの発明の連動部の両端における連結部の少なくとも一方に所定の遊びを設けたもので、扉体閉塞時に上扉体、下扉体が閉成状態となる順序を規定することができ、また、リンク構成部品の加工誤差、組立て誤差を吸収できるため、両扉体の連動不良をなくすことができる。
【００１９】
第１０の発明は、特に、第９の発明の第１の動作規制部を上扉体が閉塞する方向に弾性的に付勢したもので、閉塞時にシール部材と上扉体の抵抗等があっても、上扉体を確実に先に閉成状態とすることが可能となり、扉体の開閉動作の信頼性が向上する。
【００２０】
第１１の発明は、特に、第１〜１０のいずれか１つの発明の第１の動作規制部に、扉体開成状態で動作規制部収納口の幅方向と当接する第１のリブを設けたもので、扉体開成状態で扉体のガタツキを抑えることが可能となり、製品の品位が向上する。さらに、扉体閉成状態、及び扉体開放途中では動作規制部と動作規制部収納口との間に隙間があるため、スムーズな扉体開閉動作が実現できる。
【００２１】
第１２の発明は、特に、第１〜１１のいずれか１つの発明の食器洗い機本体上面に、扉体開成状態で扉体の幅方向への移動を規制する第２のリブを設けたもので、扉体開成状態で扉体のガタツキを抑えることが可能となり、製品の品位が向上する。さらに、扉体閉成状態、及び扉体開放途中では扉体が本体上面の第２のリブにより規制を受けることがないため、スムーズな扉体開閉動作が実現できる。
【００２２】
第１３の発明は、特に、第６〜１２のいずれか１つの発明の連動部の、扉体開放途中または扉体開成時に本体外部へ露出する露出部に、保護部材を設けたもので、可動する連動部の露出部に保護部材を設けることで安全性が向上する。
【００２３】
以下、本発明の実施の形態について図面を参照しながら説明する。なお、本実施の形態によって本発明が限定されるものではない。
【００２４】
（実施の形態１）
図１は、本発明の第１の実施の形態における食器洗い機の側壁部断面図、図２は、同食器洗い機の斜視図、図３は、同食器洗い機の第２の連結点の動作説明図、図４は、同食器洗い機のスライド溝部の部分拡大図である。
【００２５】
食器洗い機本体７（以下、「本体７」という）の内部に洗浄槽８が設けられており、この洗浄槽８の前面開口部９を、扉体である上扉体１０と下扉体１１により開閉するようになっている。洗浄槽８内部には被洗浄物をセットする食器かご（図示せず）が収納されている。上扉体１０をスライド自在に支持するスライド支持部１２は、一端が洗浄槽８外壁上部に第１の回転支点１３で回転自在に支持され、他端は上扉体１０に設けたスライド溝部１４を２点のスライド係合部１５によりスライド自在に支持している。
【００２６】
スライド溝部１４の溝幅は、上扉体１０を閉成した状態でスライド係合部１５が係合する近傍だけ他の範囲より狭くなっており、上扉体１０を閉成した状態でのスライド溝部１４とスライド係合部１５の隙間は、加工誤差、組立て誤差を考慮した時に両部品が突っ張って、開閉動作がロックすることのない必要最小限の設定となっている。スライド溝部１４の他の範囲は、スライド係合部１５の摺動に影響がでないよう十分な幅が確保されている。またスライド係合部１５には回転自在なローラー部１６が設けられており、スライド係合部１５のスライド溝部１４内の摺動をスムーズにしている。
【００２７】
また、上扉体１０を一意的な所定軌跡で開閉移動させるための動作規制手段として、互いの一端同士を第１の連結点１７で回転自在に連結した第１の動作規制部１８と第２の動作規制部１９が設けられており、第１の動作規制部１８の他端は洗浄槽８外壁に第２の回転支点２０で回転自在に支持され、第２の動作規制部１９の他端は上扉体１０の下端に設けた固定点２１に固定されている。
【００２８】
第１の動作規制部１８、第２の動作規制部１９が本体７前面の側部から外部に出入りする部分には動作規制部収納口２２が設けられている。また、第１の動作規制部１８は、扉体開成状態で、下方向に突出する略Ｖ字形状となっており、同じく扉体開成状態で動作規制収納口２２と当接する第１のリブ２３が設けられている。
【００２９】
下扉体１１は、洗浄槽８の前面開口部９下端部近傍で、第３の回転支点２４により回転自在に支持された下支持部２５に固定されており、前面開口部９の前下方にその内面が上向き略水平となる位置まで開放する。下扉体１１には押しボタンスイッチ２６と、下扉体１１を閉成状態に固定するロック手段２７を設け、押しボタンスイッチ２６と連動して、洗浄槽８外壁に設けた係止部２８からロック手段２７を解除できるようにしている。上扉体１０および下扉体１１と前面開口部９のシール、および上扉体１０、下扉体１１間のシールを行うために、前面開口部９と上扉体１０には弾性体で形成されたシール部材２９が設けられている。
【００３０】
また、連動部３０の一端を第１の動作規制部１８と第２の連結点３１で回転自在に連結し、他端を下支持部２５と第３の連結点３２で回転自在に連結することで、上扉体１０と下扉体１１が連動して開閉する構成となっている。さらに連動部３０に設けた第１の保持部３３と洗浄槽８外壁に設けた第２の保持部３４を第１のスプリング３５（引張りコイルバネ）で連結し、上・下扉体１０、１１が開放する方向に弾性的に付勢するよう構成している。なお、連動部３０の本体７外部に露出する部分には、保護部材３６が設けられている。
【００３１】
図３に示すように、第２の連結点３１は第１の動作規制部１８に設けた回転軸３７と連動部３０に設けた上下方向の長穴３８とで構成されており、回転軸３７と長穴３８は、上・下扉体１０、１１を閉塞していった時に、上扉体１０が下扉体１１より先に閉成状態となるような位置関係となっている。
【００３２】
さらに、一端を連動部３０に他端を回転軸３７に連結した第２のスプリング３９（ねじりコイルバネ）により、上扉体１０が閉塞する方向に第１の動作規制部１８が付勢されている。
【００３３】
本体７上面には、上扉体１０の開成状態で、上扉体１０の幅方向への移動を規制する第２のリブ４０が設けられており、洗浄槽８側壁には連動部３０と当接して下扉体１１の開成状態を維持するストッパー部４１が設けられている。
【００３４】
リンクの各支点位置は、第１の連結点１７を中心として、第２の回転支点２０と固定点２１とでなされる角度、第２の連結点３１を中心として、第３の連結点３２と第２の回転支点２０とでなされる角度、第３の連結点３２を中心として、第３の回転支点２４と第２の連結点３１とでなされる角度、の以上３つの角度が上・下扉体１０、１１の開閉動作において、０度以上１８０度以下となるよう設定されている。
【００３５】
以上のように構成された食器洗い機について、その動作、作用を説明する。
【００３６】
押しボタンスイッチ２６を押すと、ロック手段２７が解除され、第１のスプリング３５による下扉体１１の開放側へ付勢された連動部３０により、上扉体１０と下扉体１１は連動して閉成状態から連動部３０の当部３０ａがストッパー部４１と当接する開成状態まで自動的に開放することができる。即ち、上記構成により、上扉体１０と下扉体１１を自動的に開閉する自動開閉機構が形成されている。
【００３７】
上・下扉体１０、１１の開放動作の詳細は以下の通りである。
【００３８】
下扉体１１の開放動作は、洗浄槽８の下端を中心に前下方に回転し、その内面が上向き水平となる位置まで回転する。
【００３９】
上扉体１０は、一端側が洗浄槽８外壁に回転支持され、他端側が上扉体１０のスライド溝部１４にスライド支持されているスライド支持部１２により、回転とスライドが組み合わさった軌跡で移動する。これにより、図５の従来のように単純に支持部材により回転支持されている場合と比べて、移動軌跡の自由度が高くなっている。ただし、このスライド支持部１２だけでは、上扉体１０の回動軌跡は一意的に決まらず、自在に動作してしまい、本体上面等に衝突するなどの恐れがある。
【００４０】
そこで第１の動作規制部１８と第２の動作規制部１９により上扉体１０の移動軌跡を一意的に規制している。これによって、上扉体１０を本体７の外郭形状に沿うように本体７の上方空間に移動させることが可能となり、上扉体１０の開閉に必要な設置高さを従来より低く抑えた設置性のよい食器洗い機を実現できる。また、完全に開成した状態で、上扉体１０の前面開口部９より前方に出た突出長さも小さくできるため、洗浄槽８内が見やすく、食器等の出し入れにも邪魔にならない使い勝手のよい食器洗い機を実現できる。
【００４１】
また、リンクの各支点位置を、上死点、下死点とならないよう設定することで、上・下扉体１０、１１の開閉時のリンクの不可逆的な動作やロックを防止することが可能となり、安定した上・下扉体１０、１１の開閉動作を実現できる。
【００４２】
また、上・下扉体１０、１１の開成状態においては、本体上面に設けた第２のリブ４０が上扉体１０の幅方向への移動を規制し、動作規制部収納口２２が第１の動作規制部１８に設けられた第１のリブ２３と当接することで、上扉体１０が本体上面でぐらつくことがなく、製品の品位を損ねる事がない。
【００４３】
上・下扉体１０、１１を開放後、下扉体１１に食器かごを引出し、被洗浄物をセットする。食器かごを下扉体１１内面上に引出す構成をとっているので、被洗浄物から垂れた汁、水滴が機外へ流出するのを防止することができる。
【００４４】
続いて、食器かごを洗浄槽８内に収納し、下扉体１１を閉塞する。上扉体１０と下扉体１１は連動部３０により連動して開閉する構成となっているので、上扉体１０も同時に閉塞される。この時、第２の連結点３１が 回転軸３７と長穴３８とで構成されており、且つ第２のスプリング３９により、第１の動作規制部１８が上扉体１０が閉塞する方向に付勢されているので、上扉体１０が確実に先に閉成し、上扉体１０に設けたシール部材２９を下扉体１１で確実に押さえつけることが可能となり、上扉体１０、下扉体１１間のシールを確実に行える。
【００４５】
さらに、スライド溝部１４とスライド係合部１５の隙間は、上扉体１０の閉成時だけ狭く設定されているため、閉成時の上扉体１０の位置の安定化による上扉体１０と前面開口部９の確実なシールと、開閉途中でのスライド溝部１４とスライド係合部１５のスムーズな摺動による安定した扉体開閉動作を同時に実現できるようになっている。
【００４６】
また、スライド係合部１５にローラー部１６を設けることで、スライド溝部１４とスライド係合部１５の摺動抵抗はさらに低減でき、より安定した扉体開閉動作を実現できる。
【００４７】
本実施の形態における上扉体１０の開閉の軌跡は、第２の動作規制部１９を使用せず、第１の動作規制部１８を上扉体１０の固定点２１に直接回転自在に支持しても実現可能であるが、この場合、動作規制収納口２２が著しく大きくなってしまうので、本実施の形態では、第２の動作規制部１９を設け、さらに第１の動作規制部１８を扉体開成状態で、下方向に突出した略Ｖ字形状としていることで、動作規制部収納口２２の開口面積を必要最小限に留めることが可能となり、食器洗い機前面の門型構造の強度低下を最小限に抑えることで、食器洗い機の筐体強度を動作規制手段を１部品で構成した場合と比較して、飛躍的に向上させることができ、リンクの各支点位置が変位し難くなり、安定した上・下扉体１０、１１の開閉動作、確実なシール性を実現することができる。
【００４８】
なお、上述した上・下扉体１０、１１の開閉リンク機構は、洗浄槽８、及び扉体の左右両側に設けられている。
【００４９】
なお、第１の動作規制手段１８の第２の回転支点２０の位置を本体７の前面上方に移動
し、且つ第２の連結点３１と第２の回転支点２０の支点間距離を長くして、第１の動作規制手段１８の閉成状態〜開成状態間の回転角度を小さくすると（上扉体１０と第２の動作規制手段１９で成す角度が狭まる方向）、上扉体１０の開成時の開閉に必要とする高さをより低くすることができる。
【００５０】
また、第２の回転支点２０と第１の連結点１７の支点間距離を長くし、 且つ、第１の連結点１７と固定点２１との間の支点間距離を長くすると（上扉体１０と第２の動作規制手段１９で成す角度が広がる方向）、上扉体１０の開成時の本体７前方への突出代をより小さくすることができる。
【００５１】
このように、本実施の形態によれば、棚の下等に設置される食器洗い機あるいは、上方に棚などの障害物は無いが前方のスペースが限られている所に設置される食器洗い機など、設置場所に応じて、各リンク機構の支点間の距離や位置を変えて対応できるので、食器洗い機の販売機会を増やす事ができる。
【産業上の利用可能性】
【００５２】
以上のように、本発明にかかる食器洗い機は、扉体の開閉に必要な空間や高さが低く、本体の設置性に優れたものであり、物の出し入れ用の開閉扉を有する各種機器、装置に広く適用できるものである。
【図面の簡単な説明】
【００５３】
【図１】本発明の第１の実施の形態における食器洗い機の側壁部断面図
【図２】同食器洗い機の斜視図
【図３】（ａ）同食器洗い機の扉体閉塞途中の第２の連結点の詳細図（ｂ）同食器洗い機の扉体閉成状態の第２の連結点の詳細図
【図４】同食器洗い機のスライド溝部の部分拡大図
【図５】従来の食器洗い機の側壁部の主要断面図
【符号の説明】
【００５４】
７  食器洗い機本体（本体）
８  洗浄槽
９  前面開口部
１０  上扉体（扉体）
１１  下扉体
１２  スライド支持部
１４  スライド溝部
１８  第１の動作規制部（動作規制手段）
１９  第２の動作規制部（動作規制手段）
２２  動作規制部収納口
【図１】
2005296313.tif 000003
【図２】
2005296313.tif 000004
【図３】
2005296313.tif 000005
【図４】
2005296313.tif 000006
【図５】
2005296313.tif 000007